(57)【要約】【課題】同じ風景、同じ人物などを統一されたサイズの画像によって視認することができるよう、統一したサイズの画像を得ることができるようにする。【解決手段】カメラ部５による撮影時に、ＲＡＭ４に記憶済みの画像から撮影対象に類似する画像の有無を制御部１によって判別し、類似画像が存在すると判別されると、記憶済み画像の画像サイズを取得して、その取得した画像サイズで撮影対象の画像を記録するように画像の調整を行う。【選択図】図１
2009246450.tif 000002
【特許請求の範囲】
【請求項１】
画像撮影手段を備えた画像処理装置であって、
撮影対象の画像撮影時に、その撮影対象の画像を認識する認識手段と、
記憶済みの画像から前記認識手段で認識した撮影対象に類似する画像の有無を判別する判別手段と、
その判別手段で類似画像が存在すると判別されると、前記記憶済み画像の画像サイズを取得する取得手段と、
その取得手段で取得した画像サイズで撮影対象の画像を記録するように撮影設定を行う撮影設定手段と、
その撮影設定手段の設定に基づいて画像撮影する画像撮影手段と、
を具備することを特徴とする画像処理装置。
【請求項２】
前記画像撮影手段は、類似画像が存在しなければ、予め指定された画像サイズの設定に基づいて画像撮影をするようにしたことを特徴とする請求項１の画像処理装置。
【請求項３】
前記撮影設定手段の撮影設定に先立って、前記取得手段で取得した画像サイズが、現在設定の画像サイズと異なるか否かを判別し、異なる場合には現在設定の画像サイズを前記取得の画像サイズに前記撮影設定手段によって変更設定するようにしたことを特徴とする請求項１の画像処理装置。
【請求項４】
複数の画像を記憶し処理する画像処理装置であって、
処理対象の画像内容を認識する認識手段と、
記憶済みの画像から前記認識手段で認識された画像内容に類似する画像の有無を判別する判別手段と、
その判別手段で類似画像が存在すると判別されると、前記記憶済み画像と前記処理対象画像との画像サイズが同じになるように画像サイズを調整する調整手段と、
前記調整手段で調整された双方の画像を、その調整された画像サイズで記憶する記憶制御手段と、
を具備することを特徴とする画像処理装置。
【請求項５】
前記調整手段の画像サイズの調整は、前記記録済み画像の画像サイズと同じになるように前記処理対象画像の画像サイズを調整するようにしたことを特徴とする請求項４の画像処理装置。
【請求項６】
前記調整手段の画像サイズの調整は、前記処理対象画像の画像サイズと同じになるように前記記憶済み画像の画像サイズを調整するようにしたことを特徴とする請求項４の画像処理装置。
【請求項７】
複数の画像を記憶し処理する画像処理装置であって、
画像を記憶するフォルダに対応付けて画像ファイル属性を記憶する記憶手段と、
その記憶手段のフォルダに画像を記憶させる際は、前記記憶手段のフォルダに対応付けて記憶された画像ファイル属性で記憶する記憶制御手段と、
を具備することを特徴とする画像処理装置。
【請求項８】
前記記憶制御手段は、画像ファイル属性として予め記憶された画像サイズに基づいて、記憶する画像のサイズを調整して記憶手段に記憶するようにしたことを特徴とする請求項７の画像処理装置。
【請求項９】
コンピュータを、
撮影対象の画像撮影時に、その撮影対象の画像を認識する認識手段、
記憶済みの画像から前記認識手段で認識した撮影対象に類似する画像の有無を判別する判別手段、
その判別手段で類似画像が存在すると判別されると、前記記憶済み画像の画像サイズを取得する取得手段、
その取得手段で取得した画像サイズで撮影対象の画像を記録するように撮影設定を行う撮影設定手段、
その撮影設定手段の設定に基づいて画像撮影する画像撮影手段、
として機能させるためのプログラム。
【請求項１０】
コンピュータを、
処理対象の画像内容を認識する認識手段、
記憶済みの画像から前記認識手段で認識された画像内容に類似する画像の有無を判別する判別手段、
その判別手段で類似画像が存在すると判別されると、前記記憶済み画像と前記処理対象画像との画像サイズが同じになるように画像サイズを調整する調整手段、
前記調整手段で調整された双方の画像を、その調整された画像サイズで記憶する記憶制御手段、
として機能させるためのプログラム。
【請求項１１】
コンピュータを、
画像を記憶するフォルダに対応付けて画像ファイル属性を記憶する記憶手段、
その記憶手段のフォルダに画像を記憶させる際は、前記記憶手段のフォルダに対応付けて記憶された画像ファイル属性で記憶する記憶制御手段、
として機能させるためのプログラム。
【発明の詳細な説明】
【技術分野】
【０００１】
本発明は、画像を処理する画像処理装置およびプログラムに関するものである。
【背景技術】
【０００２】
記憶された撮影画像のなかから所望の画像を探す場合に、特許文献１のように撮影画像とは別に画素数を圧縮し所定サイズにしたサムネイル画像を予め用意しておき、そのサムネイル画像を確認用の表示に使用する方法が知られている。この場合にユーザは、表示されたサムネイル画像中から所望の画像を発見すると、その画像を指定することにより、その指定された画像と対応して記憶された画像を読み出して、記録した際のサイズによってフル画面で再生する。
【特許文献１】特開２０００−３４１６４４号公報
【発明の開示】
【発明が解決しようとする課題】
【０００３】
このように、記憶された画像を読み出してフル画面で再生する場合は、撮影した際の撮影サイズに応じたサイズで表示されるが、例えば、同じ風景、同じ人物などをアルバムのようにして同じサイズで見たい場合にも、撮影された際の撮影サイズに応じたサイズで画像が表示されてしまうため、撮影時の撮影サイズの設定が異なっていれば、異なったサイズで画像が表示されてしまい、同じ風景、同じ人物などを統一されたサイズの画像によって視認することができないという欠点があった。
【０００４】
この発明の課題は、統一したサイズの画像を得ることができるようにすることである。
【課題を解決するための手段】
【０００５】
以上の課題を解決するため、請求項１に記載の発明は、画像撮影手段を備えた画像処理装置であって、撮影対象の画像撮影時に、その撮影対象の画像を認識する認識手段と、記憶済みの画像から前記認識手段で認識した撮影対象に類似する画像の有無を判別する判別手段と、その判別手段で類似画像が存在すると判別されると、前記記憶済み画像の画像サイズを取得する取得手段と、その取得手段で取得した画像サイズで撮影対象の画像を記録するように撮影設定を行う撮影設定手段と、その撮影設定手段の設定に基づいて画像撮影する画像撮影手段とを具備することを特徴とする。
【０００６】
請求項１に記載の発明によれば、画像撮影時に、類似画像の記憶が既にあれば、画像サイズを合わせて撮影されるため、統一したサイズの画像を得ることができる。
【０００７】
請求項４に記載の発明は、複数の画像を記憶し処理する画像処理装置であって、処理対象の画像内容を認識する認識手段と、記憶済みの画像から前記認識手段で認識された画像内容に類似する画像の有無を判別する判別手段と、その判別手段で類似画像が存在すると判別されると、前記記憶済み画像と前記処理対象画像との画像サイズが同じになるように画像サイズを調整する調整手段と、前記調整手段で調整された双方の画像を、その調整された画像サイズで記憶する記憶制御手段とを具備することを特徴とする。
【０００８】
請求項４に記載の発明によれば、処理対象画像と記録済み画像とを同じ画像サイズにすることができ、統一したサイズの画像を得ることができる。
【０００９】
請求項７に記載の発明は、複数の画像を記憶し処理する画像処理装置であって、画像を記憶するフォルダに対応付けて画像ファイル属性を記憶する記憶手段、その記憶手段のフォルダに画像を記憶させる際は、前記記憶手段のフォルダに対応付けて記憶された画像ファイル属性で記憶する記憶制御手段とを具備することを特徴とする。
【００１０】
請求項７に記載の発明によれば、フォルダ属性として記憶された画像サイズに合わせて、統一したサイズの画像を得ることができる。
【発明の効果】
【００１１】
この発明によれば、統一したサイズの画像を得ることができるようになる。
【発明を実施するための最良の形態】
【００１２】
以下、図を参照して本発明を実施するための最良の形態を詳細に説明する。
（実施形態１）
図１は、本発明の第１実施形態による携帯電話機の構成を示す概略ブロック図である。
【００１３】
図において、制御部１は、ＣＰＵ（Central Processing Unit）等から構成され、ＲＯＭ(Read-Only Memory) ２が記憶する動作プログラムに従って携帯電話機全体を制御する。通信部３は、図示しない無線基地局を介して、通話、メールなどのデータ通信などを行う。即ち、音声マイクからの音声を取り込み、デジタル信号に変換してアンテナ３‐１から無線基地局に送信する一方、無線基地局からの音声信号をアンテナ３‐１から受信してアナログ信号に変換してスピーカから出力したりする。ＲＡＭ (random access memory)４は、画像データを含む各種データを記憶するもので、内蔵されるメモリ、取り外し可能な外部メモリのいずれから構成されてもよい。また、カメラ部５は、画像を撮影するものでレンズ、撮像素子であるＣＣＤ (CCD: Charge Coupled Device) などかなる。操作部６は、電話番号や、各種データ、モード指示などを入力する。表示部７は、液晶表示器などからなり、アドレス帳や電話番号などの情報や、各種設定画面、撮影された画像などを表示する。
【００１４】
なお、ＲＡＭ４に記憶された画像データは、撮影時に複数のフォルダのうち、指定された任意のフォルダに記憶されたものであり、通常フォルダや、ユーザが設定したフォルダ、自動生成された早春夕暮れフォルダなどに記憶される。また、画像データは、撮影画像サイズ、ズーム、絞りなどの各種の撮影条件と対応付けられて記憶されている。
【００１５】
次に、第１実施形態による携帯電話機の具体的な動作について図２〜図５を参照して説明する。図２〜図４は、携帯電話機の処理内容を示すフローチャートであり、図５は、携帯電話機の表示画面の例を示す図であり、図６（ａ）は、現在カメラ部から取り込まれている画像データの撮影画像サイズと、その画像データを伸張させた場合の撮影画像サイズを模式的に示した図であり、図６（ｂ）は、類似する画像データの撮影画像サイズを模式的に示した図である。
【００１６】
図２〜図４に示すフローチャートの処理は、制御部１とＲＯＭ２に記憶されているプログラムとの協働によるソフトウエア処理により実現される。具体的には、制御部１は、携帯電話機の電源投入時に、ＲＯＭ２からプログラムを読み出し、当該プログラムをＲＡＭ４に展開することで、図２に示す処理を開始する。
【００１７】
先ず、図２は携帯電話機の全体的な概略動作を示した図であり、制御部１は、モードを判別する（ステップＡ１）が初期の設定では待受け画面となっており、操作部６からのモード指示の入力(図示せず)がなされるまでは待受け画面の状態となっている。
【００１８】
そして、モード指示の入力がなされると対応するモードへと切り替えられるためステップＡ２で撮影モードか否かが判断され、撮影モードであると判断されると（ステップＡ２；Ｙ）、撮影処理のステップＡ３に進む。
【００１９】
図３は撮影処理の詳細動作を示した図であり、この図３の撮影処理を開始すると、制御部１は、先ず、シャッタが半押しされておりフォーカス状態にあれば、カメラ部５からスルー画像を取り込んで、そのスルー画像を表示部７で表示する（ステップＢ１）。
【００２０】
そして、撮影画像サイズ、ズーム、絞りなどの各種の撮影条件を設定するための指示が、操作部６からなされたか否かを判別（ステップＢ２）し、撮影条件を設定するための指示がなされていれば（ステップＢ２；Ｙ）、操作部６からなされる撮影画像サイズ、ズーム、絞りなどの各種の撮影条件の入力を受け付ける（ステップＢ３）。この撮影条件は次の設定の指示がなされるまでは変更されない。
【００２１】
さらに、ステップＢ４では、一時記憶された撮影条件のズーム、絞りなどに基づいてカメラ部５を制御し、対応する各機構を動作させる。そして、ステップＢ５においシャッタが全押しされたか否かが判別され、シャッタが全押しされていなければ（ステップＢ５；Ｎ）このフローを抜けてステップＡ１に進む。
【００２２】
しかし、シャッタが全押しされていることが判別された場合には（ステップＢ５；Ｙ）ステップＢ６に進む。
【００２３】
さらに、ステップＢ６では、現在カメラ部５から取り込まれている画像データと、既にＲＡＭ４に記憶された全ての画像データとが比較検索されて、ステップＢ７で、取り込まれている画像データに類似する画像データが既にＲＡＭ４に記憶されているかを判別する。
【００２４】
すなわち、現在カメラ部５から取り込まれている画像データを、１６階調の白黒データに変換し、また、既にＲＡＭ４に記憶された画像データの全ても、１６階調の白黒データに変換して、その画像データの一致度合いを判別していき、９割以上の一致があれば、類似する画像データが既にＲＡＭ４に記憶されていると判別し（ステップＢ７；Ｙ）、また、複数の対象がある場合には、一番一致率の高い画像データを、類似する画像データとして判別してステップＢ９へと進むが、一方、ステップＢ７で、ＲＡＭ４に類似する画像データが記憶されていないと判別されると（ステップＢ７；Ｎ）、ステップＢ８へと進む。
【００２５】
次いで、ステップＢ８では、現在カメラ部５から取り込まれている画像データに名称、例えば、年、日付、時分秒を名称とし、一時記憶されている撮影条件とともに、画像データと対応付けて通常フォルダに記憶し、この後、ステップＡ１に戻る。
【００２６】
一方、ステップＢ７で、ＲＡＭ４に類似する画像データが記憶されていると判別されると（ステップＢ７；Ｙ）、ステップＢ９へと進み、このステップＢ９では、現在カメラ部５から取り込まれている画像データの撮影画像サイズが、ステップＢ７で判別された、類似する画像データの撮影画像サイズと同じサイズであるか否かが判別され、同じ撮影画像サイズである場合（ステップＢ９；Ｙ）にはステップＢ１１へと進む。
【００２７】
しかして、同じ撮影画像サイズでない場合（ステップＢ９；Ｎ）にはステップＢ１０へと進んで、このステップＢ１０では、現在カメラ部５から取り込まれている画像データの撮影画像サイズを、類似する画像データの撮影画像サイズと同じサイズにするよう調整を行う。
【００２８】
すなわち、現在カメラ部５から取り込まれている画像データそのものを、類似する画像データの撮影画像サイズと同じになるように、圧縮あるいは伸張することで画像のサイズを合わせる。これにより、現在カメラ部５から取り込まれている画像データの撮影画像サイズが図６（ａ）のように３２０×２４０画素であり、類似する画像データの撮影画像サイズが図６（ｂ）のように６４０×４８０画素であった場合でも、現在カメラ部５から取り込まれている画像データを図６（ａ）のように伸張することにより、撮影画像サイズを見かけ上６４０×４８０画素の画像データにして、類似する画像データの撮影画像サイズに合わせることができる。
【００２９】
なお、ステップＢ１０に替えて、類似する画像データの撮影画像サイズを、現在カメラ部５から取り込まれている画像データの撮影画像サイズと同じサイズにするように調整してもよい。この場合、類似する画像データが記憶されているフォルダ内の画像データの全てが、現在カメラ部５から取り込まれている画像データの撮影画像サイズと同じサイズになるよう図６（ａ）に示したように調整され、ユーザが新たに指定した最新の撮影画像サイズが反映される。
【００３０】
さらに、なお、撮影条件の撮影サイズそのものを一時的に変更して、カメラ部５から取り込むことで撮影画像サイズを合わせることもでき、この場合、カメラ部５から画像を取り込んだ後に、元の撮影条件の撮影サイズに戻しておけばよい。
【００３１】
そして、ステップＢ１１では、類似する画像データが通常フォルダに記憶されていたか否かが判別され、類似する画像データが通常フォルダに記憶されていた場合（ステップＢ１１；Ｙ）には、現在取り込んでいる画像データに関連する画像データが、通常フォルダに既に記憶されているため、別のフォルダに類似する画像データと現在取り込んでいる画像データとをまとめるためにステップＢ１２へと進む。
【００３２】
次に、ステップＢ１２では、新規のフォルダを自動的に作成する処理であり、例えば、そのときの季節、時間帯、連番などを名前として新規フォルダを自動作成するもので、図５に示した、表示部７の画面のように「早春夕暮れフォルダ１」のような名称で新規フォルダが自動作成される。
【００３３】
次いで、ステップＢ１３へと進み、類似する画像データと、その類似画像データと対応する撮影条件とを新規フォルダに移動して記憶させステップＢ１４へと進む。
【００３４】
なお、ステップＢ１１からＢ１３の処理は必ずしも必要ではなく、別々のフォルダに画像データを記憶するようにしてもよく、この場合であっても同じ画像サイズで記憶することができる。
【００３５】
また、ステップＢ１４では、現在カメラ部５から取り込まれている画像データに名称、例えば、年、日付、時分秒を名称とし、一時記憶されている撮影条件(撮影画像サイズは、調整された撮影画像サイズ)とともに、画像データと対応付けて、新規フォルダに記憶し、この後、ステップＡ１に戻る。これにより、類似する画像データと現在取り込んでいる画像データとを、同じ画像サイズにして、且つ、まとめて記憶することができる。
【００３６】
そして、図２へと戻って、ステップＡ２で撮影モードでないと判断されると（ステップＡ２；Ｎ）、通話モードにあるか否かを判別し（ステップＡ４）、通話モードにあれば（ステップＡ４；Ｙ）、通話処理のステップＡ５に進む。この通話処理は待ち受け、通話、メールの送受信などの処理を行う。
【００３７】
また、ステップＡ４で通話モードでないと判断（ステップＡ４；Ｎ）されると、任意に指定される画像をフォルダ間で移動する際に画像のサイズを調整する、画像サイズ調整モードであるが否かが判断される（ステップＡ６）。
【００３８】
そして、画像サイズ調整モードでないと判断（ステップＡ６；Ｎ）されると、画像の再生、フォルダの撮影画像サイズの設定、その他の各種設定をしたりする他の処理（ステップＡ７）に進むが、画像サイズ調整モードであると判断（ステップＡ６；Ｙ）されると、画像サイズ調整処理のステップＡ８へと進む。図４は画像サイズ調整処理の詳細動作を示した図であり、先ず、移動すべき処理対象の画像データの読出しを行う（ステップＣ１）う。
【００３９】
この場合、処理対象の画像データの読出しは、表示部７の画面に表示された複数のフォルダのうち、任意のフォルダを指定して、その指定したフォルダ内に記憶された画像データのサムネイル画像を表示させて、そのサムネイル画像のうち、所望のサムネイル画像を指定することで、処理対象の画像データを読出して表示部７の画面に表示させ、この、移動すべき処理対象の画像データの読出しを行った後に、移動先となるフォルダの指定を、入力部６の操作に応じてステップＣ２で行う。
【００４０】
また、各フォルダには、撮影画像サイズが予め設定されているものとする。例えば、通常フォルダはデフォルトで３２０×２４０画素が設定され、他の各フォルダはユーザが任意に設定した値が予め設定されているものとする。そして、移動すべき処理対象の画像データを、移動先として指定されたフォルダに設定されている撮影画像サイズとなるように、圧縮あるいは伸張して、移動すべき処理対象の画像データの画像サイズを調整し（ステップＣ３）、さらに、この調整された画像データと、撮影条件(撮影画像サイズは、調整された撮影画像サイズ)とを、移動先のフォルダに記憶すると共に、元のフォルダに記憶されている処理対象の画像データを消去する（ステップＣ４）。
（実施形態２）
【００４１】
図７は、本発明の第２実施形態による携帯電話機における、撮影処理の他の例の詳細動作を示した図であり、この図７の撮影処理を開始すると、制御部１は、先ず、シャッタが半押しされておりフォーカス状態にあれば、カメラ部５からスルー画像を取り込んで、そのスルー画像を表示部７で表示する（ステップＤ１）。
【００４２】
そして、ステップＤ２では、現在カメラ部５から取り込まれているスルー画像の画像データ(以下、スルー画像データ)と、既にＲＡＭ４に記憶された全ての画像データとが比較検索されて、ステップＤ３で、取り込まれているスルー画像データに類似する画像データが既にＲＡＭ４に記憶されているかを判別する。
【００４３】
すなわち、現在カメラ部５から取り込まれているスルー画像データを、１６階調の白黒データに変換し、また、既にＲＡＭ４に記憶された画像データの全ても、１６階調の白黒データに変換して、その画像データの一致度合いを判別していき、９割以上の一致があれば、類似する画像データが既にＲＡＭ４に記憶されていると判別し（ステップＤ３；Ｙ）、また、複数の対象がある場合には、一番一致率の高い画像データを、類似する画像データとして判別してステップＤ９へと進むが、一方、ステップＤ３で、ＲＡＭ４に類似する画像データが記憶されていないと判別されると（ステップＤ３；Ｎ）、ステップＤ４へと進む。
【００４４】
そして、ステップＤ４では、撮影画像サイズ、ズーム、絞りなどの各種の撮影条件を設定するための指示が、操作部６からなされたか否かを判別し、撮影条件を設定するための指示がなされていれば（ステップＤ４；Ｙ）、操作部６からなされる撮影画像サイズ、ズーム、絞りなどの各種の撮影条件の入力を受け付ける（ステップＢ３）。この撮影条件は次の設定の指示がなされるまでは変更されない。
【００４５】
さらに、ステップＤ６では、一時記憶された撮影条件のズーム、絞りなどに基づいてカメラ部５を制御し、対応する各機構を動作させる。
【００４６】
そして、ステップＤ７においシャッタが全押しされたか否かが判別され、シャッタが全押しされていなければ（ステップＤ７；Ｎ）このフローを抜けてステップＡ１に進む。しかし、シャッタが全押しされていることが判別された場合には（ステップＤ７；Ｙ）ステップＤ８に進む。
【００４７】
次いで、ステップＤ８では、現在カメラ部５から取り込まれている画像データに名称、例えば、年、日付、時分秒を名称とし、一時記憶されている撮影条件とともに、画像データと対応付けて通常フォルダに記憶し、この後、ステップＡ１に戻る。一方、ステップＤ３で、ＲＡＭ４に類似する画像データが記憶されていると判別されると（ステップＤ３；Ｙ）、ステップＤ９へと進む。
【００４８】
そして、ステップＤ９においシャッタが全押しされたか否かが判別され、シャッタが全押しされていなければ（ステップＤ９；Ｎ）このフローを抜けてステップＡ１に進む。しかし、シャッタが全押しされていることが判別された場合には（ステップＤ９；Ｙ）ステップＤ１０に進む。
【００４９】
そして、ステップＤ１０では、類似する画像データが通常フォルダに記憶されていたか否かが判別され、類似する画像データが通常フォルダに記憶されていた場合（ステップＤ１０；Ｙ）には、現在取り込んでいるスルー画像データに関連する画像データが、通常フォルダに既に記憶されているため、別のフォルダに類似する画像データと現在取り込んでいる画像データとを、まとめるためにステップＤ１１へと進む。
【００５０】
ステップＤ１１では、新規のフォルダを自動的に作成する処理であり、例えば、そのときの季節、時間帯、連番などを名前として新規フォルダを自動作成するもので、図５に示した、表示部７の画面のように「早春夕暮れフォルダ１」のような名称で新規フォルダが自動作成される。
【００５１】
次いで、ステップＤ１２へと進み、類似する画像データと、その類似画像データと対応する撮影条件とを新規フォルダに移動して記憶させステップＤ１３へと進む。
【００５２】
また、ステップＤ１３では、現在カメラ部５から取り込まれているスルー画像データに名称、例えば、年、日付、時分秒を名称とし、一時記憶されている撮影条件とともに、画像データと対応付けて、新規フォルダに記憶し、この後、ステップＡ１に戻る。これにより、類似する画像データと現在取り込んでいる画像データとを、まとめて記憶することができ、例えば、特定の人物、風景などの画像をまとめることができる。なお、ステップＤ１３の前にステップＢ１０で示したように、現在カメラ部５から取り込まれている画像データの撮影画像サイズを、類似する画像データの撮影画像サイズと同じサイズにする調整の処理を加えることで、類似する画像データの撮影画像サイズを合わせることができる。
【００５３】
したがって、類似する画像データと現在取り込んでいる画像データとを、同じ画像サイズにして記憶することができる。しかも、類似する画像が存在しなければ、予め指定された画像サイズの設定に基づいて画像の撮影ができる。また、類似する画像データの画像サイズが、現在取り込んでいる画像データの画像サイズと異なる場合には、現在取り込んでいる画像データの画像サイズを調整することができる。
【００５４】
さらに、現在取り込んでいる画像データと記録済み画像との画像サイズを同じにして記憶することができる。しかも、記録済み画像の画像サイズと同じになるように、現在取り込んでいる画像データの画像サイズを調整することができる。また、現在取り込んでいる画像データの画像サイズと同じになるように、記録済み画像の画像サイズを調整することができる。
【００５５】
さらに、画像データを記憶させる際は、同じ画像種類のファイルに記憶させることができる。また、ファイルに予め記憶された画像サイズに基づいて、画像データのサイズを調整して記憶することができる。
【００５６】
前述してきた実施の形態の携帯電話機を実現するプログラムを可搬記録媒体などに記録し、この記録されたプログラムを可搬記録媒体などから読み出して用い、本発明の新規な機能を実現するようにしてもよい。この場合、プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカードなど、どのようなものであってもよい。
【００５７】
また、電子メールや赤外線通信などで受信されたプログラムを実行することによって、前述した実施の形態の機能が実現されるようにしてもよい。
【００５８】
なお、本発明は、電卓、デジタルカメラ、ビデオカメラ、PDA、ノートパソコン、ウェアラブルパソコン、プロジェクタなど、カメラ部を備え画像データを処理する画像処理装置の全てに用いることができる。また、処理対象の画像データのサイズを変更するタイミングは撮影時だけでなく、電源オン時、電源オフ時、処理を何も行っていない時などに実行してもよい。
【図面の簡単な説明】
【００５９】
【図１】携帯電話機の構成を示す概略ブロック図である。
【図２】携帯電話機の全体的な概略動作を示した図である。
【図３】撮影処理の詳細動作を示した図である。
【図４】画像サイズ調整処理の詳細動作を示した図である。
【図５】携帯電話機の表示画面の例を示す図である。
【図６】図６（ａ）は、現在カメラ部から取り込まれている画像データの撮影画像サイズと、その画像データを伸張させた場合の撮影画像サイズを模式的に示した図であり、図６（ｂ）は、類似する画像データの撮影画像サイズを模式的に示した図である。
【図７】本発明の第２実施形態による携帯電話機における、撮影処理の他の例の詳細動作を示した図である。
【符号の説明】
【００６０】
１    制御部
４    ＲＡＭ 
５    カメラ部
７    表示部
５    照明ランプ
【図１】
2009246450.tif 000003
【図２】
2009246450.tif 000004
【図３】
2009246450.tif 000005
【図４】
2009246450.tif 000006
【図５】
2009246450.tif 000007
【図６】
2009246450.tif 000008
【図７】
2009246450.tif 000009